(57)【要約】【課題】カード排出用ボタンと筐体とが干渉しないように容易にカードコネクタの位置決めをすることを課題とする。【解決手段】カードコネクタの取付構造は、カード排出用ボタン１０１を備えたカードコネクタ１００を、カード排出用ボタン１０１が出没する第２開口部１００２ｂを備えた第２筐体１００２内に収容される基板５０に装着する。カードコネクタの取付構造は、カードコネクタ１００に設けられ、首部１２０ａとこの首部１０２ａの先端側に連設された係合部１２０ｂとを備えたピン部材１２０を備える。さらに、基板５０に設けられ、ピン部材１２０が挿入される挿入部１２１ａが設けられたスタッド部材１２１と、を備える。ピン部材１２０の首部１２０ａの径は、ピン部材１２０がスタッド部材１２１に遊嵌されるように挿入部１２１ａの内径よりも小径である。【選択図】図１４
2011146308.tif 000002
【特許請求の範囲】
【請求項１】
カード排出用ボタンを備えたカードコネクタを、前記カード排出用ボタンが出没する開口部を備えた筐体内に収容される基板に装着するカードコネクタの取付構造であって、
前記カードコネクタに設けられ、首部と当該首部の先端側に連設された係合部とを備えたピン部材と、
前記基板に設けられ、前記ピン部材が挿入される挿入部が設けられたスタッド部材と、を備え、
前記ピン部材の前記首部の径は、前記ピン部材が前記スタッド部材に遊嵌されるように前記挿入部の内径よりも小径であることを特徴としたカードコネクタの取付構造。
【請求項２】
前記筐体に設けられ、前記基板が前記筐体に収容された状態で前記カードコネクタに当接し、当該カードコネクタの直交する二方向の動きを規制する突起部をさらに備えたことを特徴とする請求項１記載のカードコネクタの取付構造。
【請求項３】
前記ピン部材は、前記カードコネクタの側方に延設されたフランジ部に設けられたことを特徴とする請求項１又は２記載のカードコネクタの取付構造。
【請求項４】
前記ピン部材は、複数の部分に分割された割りピン形状を有することを特徴とした請求項１乃至３のいずれか一項記載のカードコネクタの取付構造。
【請求項５】
前記係合部は、ピン部材の基端側に向かうに従って小径となるテーパ部を備えたことを特徴とする請求項１乃至４のいずれか一項記載のカードコネクタの取付構造。
【発明の詳細な説明】
【技術分野】
【０００１】
本発明は、カードコネクタの取付構造に関する。
【背景技術】
【０００２】
従来、パーソナルコンピュータ（パソコン）等の電子機器に装着されて用いられるカードが知られている。カードは、パソコンの機能を拡張することができる。このようなカードは、内部にIntegrated Circuit(ＩＣ)を備えたＩＣカードであり、情報の書き込みや、読み出しを行うことができる。このようなＩＣカードは、例えば、Personal Computer Memory Card International Association（ＰＣＭＣＩＡ）カードや、ＥＸＰＲＥＳＳカード等、種々のカードが知られている。また、Local Area Network（ＬＡＮ）カードのような通信に用いられるカードも知られている。
【０００３】
これらのカードは、基板上に設けられたコネクタ部に接続された状態で使用される。カードをコネクタ部に接続するために、電子装置内に配置される基板上には、カードコネクタが設けられる。カードコネクタには、カード排出用ボタンが設けられることがある。
【０００４】
従来、このようなカードコネクタを基板に取り付けるためのカードコネクタの取付構造やＩＣカードのスライドガイド取付装置が知られている（例えば、特許文献１、特許文献２）。
【先行技術文献】
【特許文献】
【０００５】
【特許文献１】特開２００７−２２７０７８号公報
【特許文献２】実開平３−４１３６１号公報
【発明の概要】
【発明が解決しようとする課題】
【０００６】
カードコネクタは、電子装置の外皮となる筐体内に収容される基板に取り付けられる。カードコネクタが、カード排出用ボタンを備えている場合、そのカード排出用ボタンは、前記筐体から出没する。従来のカードコネクタは、はんだ付けや、ネジ止めによって基板へ取り付けられる。このため、カードコネクタは、基板への取り付け時のガタつきや、他の関連する部品の仕上がり公差の蓄積により搭載位置にズレが生じることがある。このズレが大きくなると、カード排出用ボタンが筐体と干渉してしまう。この干渉度合いが大きくなると、カード排出用ボタンが動作することができず、カードの排出不良が生じる。製品の組み立て現場では、このようなカード排出用ボタンと筐体との干渉を解消する調整作業が行われ、製品は、その調整作業後、出荷される。
【０００７】
前記従来のカードコネクタの取付構造やＩＣカードのスライドガイド取付装置は、電子機器の筐体とボタンとの干渉を回避することについては、格別考慮されていない。
【０００８】
そこで、本明細書開示のカードコネクタの取付構造は、カード排出用ボタンと筐体とが干渉しないように容易にカードコネクタを位置決めできることを課題とする。
【課題を解決するための手段】
【０００９】
本明細書開示のカードコネクタの取付構造は、カード排出用ボタンを備えたカードコネクタを、前記カード排出用ボタンが出没する開口部を備えた筐体内に収容される基板に装着するカードコネクタの取付構造であって、前記カードコネクタに設けられ、首部と当該首部の先端側に連設された係合部とを備えたピン部材と、前記基板に設けられ、前記ピン部材が挿入される挿入部が設けられたスタッド部材と、を備えている。そして、前記ピン部材の前記首部の径は、前記ピン部材が前記スタッド部材に遊嵌されるように前記挿入部の内径よりも小径である。
【００１０】
ピン部材がスタッド部材に対し遊嵌されることにより、カードコネクタを微小な動きが許容される浮遊状態（フローティング状態）で仮止めすることができる。このような仮止め状態とした後であれば、カード排出用ボタンと筐体とが干渉しないように最終的な位置決めを容易に行うことができる。
【発明の効果】
【００１１】
本明細書開示のカードコネクタの取付構造によれば、カード排出用ボタンと筐体とが干渉しないように容易に位置決めすることができる。
【図面の簡単な説明】
【００１２】
【図１】図１は、パソコンの斜視図である。
【図２】図２は、カード挿入用の第１開口部周辺の拡大図である。
【図３】図３は、カード排出用ボタンが第２筐体内に収納され、カードが第１開口部に挿入された状態の説明図である。
【図４】図４は、カード排出用ボタンが第２筐体から突出した状態の説明図である。
【図５】図５は、カード排出用ボタンが第２筐体内に押し込まれ、カードが第２筐体から排出された状態の説明図である。
【図６】図６は、カード排出用ボタンが第２筐体内に収納された状態のカードコネクタの説明図である。
【図７】図７は、カード排出用ボタンを案内するためにベースモールドに設けられたカム溝の説明図である。
【図８】図８（Ａ）はカードを排出する機構の一部を分解した状態で示した説明図であり、図８（Ｂ）はカードを排出する機構の一部を組み立てた状態で示した説明図である。
【図９】図９は、カードが第２筐体内に挿入され、カード排出用ボタンが第２筐体から突出した状態のカードコネクタの説明図である。
【図１０】図１０は、カード排出用ボタンが第２筐体内に押し込まれ、カードが第２筐体から排出されるときのカードコネクタの説明図である。
【図１１】図１１（Ａ）〜（Ｈ）は、カード排出用ボタンの一連の動きを示す説明図である。
【図１２】図１２は、比較例のカードコネクタの取付構造により、カードコネクタを基板に取り付ける様子を示す図であり、図１２（Ａ）は上方から見た図、図１２（Ｂ）は側方から見た図である。
【図１３】図１３は、比較例のカードコネクタの取付構造により、カードコネクタが基板へ取り付けられた状態を示す図であり、図１３（Ａ）は上方から見た図、図１３（Ｂ）は側方から見た図である。
【図１４】図１４は、実施例のカードコネクタの取付構造によりカードコネクタを基板に取り付ける様子を示す図であり、図１４（Ａ）は上方から見た図、図１４（Ｂ）は側方から見た図である。
【図１５】図１５は、実施例のカードコネクタの取付構造により、カードコネクタが基板へ取り付けられた状態を示す図であり、図１５（Ａ）は上方から見た図、図１５（Ｂ）は側方から見た図である。
【図１６】図１６は、実施例のスタッド部材の説明図であり、図１６（Ａ）は上方から見た図、図１６（Ｂ）は側方から見た図である。
【図１７】図１７は、ピン部材がスタッド部材と対向した状態を示す説明図である。
【図１８】図１８は、ピン部材の先端部がスタッド部材に挿入され始めた状態を示す説明図である。
【図１９】図１９は、ピン部材のスタッド部材への挿入が完了した状態を示す説明図である。
【図２０】図２０は、他の実施例のピン部材がスタッド部材と対向した状態を示す説明図である。
【図２１】図２１は、他の実施例のピン部材の先端部がスタッド部材に挿入され始めた状態を示す説明図である。
【図２２】図２２は、他の実施例のピン部材がスタッド部材への挿入が完了した状態を示す説明図である。
【図２３】図２３は、さらに他の実施例のピン部材の側面図である。
【図２４】図２４は、さらに他の実施例のピン部材の側面図である。
【図２５】図２５（Ａ）は、さらに他の実施例のピン部材の正面図であり、図２５（Ｂ）は側面図である。
【図２６】図２６は、突起部によりカードコネクタの動きを規制した様子を示す説明図である。
【発明を実施するための形態】
【００１３】
以下、本発明の実施形態について、添付図面を参照しつつ説明する。ただし、図面中、各部の寸法、比率等は、実際のものと完全に一致するようには図示されていない場合がある。また、図面によっては細部が省略されている場合もある。
【実施例】
【００１４】
図１は、図６に示すように本実施例のカードコネクタの取付構造によりカードコネクタ１００が取り付けられた基板５０を備えたパソコン１０００の斜視図である。パソコン１０００は、いわゆるノート型であり、ディスプレイが設けられた第１筐体１００１と、キーボードが配置された第２筐体１００２とを備えている。基板５０は、第２筐体１００２に収納される。第２筐体１００２は、天板１００３を備えている。天板１００３は、脱着可能である。図２は、第２筐体１００２に設けられたカード挿入用の第１開口部１００２ａ周辺の拡大図である。第２筐体１００２には、第１開口部１００２ａに隣接して第２開口部１００２ｂが設けられている。この第２開口部１００２ｂからはカード排出用ボタン（以下、単に「ボタン」という）１０１が露出する。ボタン１０１は、カードコネクタ１００に設けられている。
【００１５】
第１開口部１００２ａには、カードの一例であるＥＸＰＲＥＳＳカード（以下、単に、「カード」という）１０が挿入される。カード１０は、第１開口部１００２ａに差し込まれ、そのまま押し込まれることによって第２筐体１００２内に収納される。そして、第２筐体１００２内に収納されたカード１０は、ボタン１０１の操作により第２筐体１００２から排出される。図３は、ボタン１０１が第２筐体内に収納され、カード１０が第１開口部１００２ａに挿入された状態の説明図である。カード１０を挿入した状態でパソコン１０００の操作を行う場合は、ボタン１０１は、図３に示すように第２筐体１００２内に収納された状態となる。
【００１６】
第１開口部１００２ａに挿入されたカード１０は、ボタン１０１を操作することによって第１開口部１００２ａから排出される。ボタン１０１を押す動作が二回行われることによりカード１０は排出される。図４は、図３に示す状態からボタン１０１が一回押され、ボタン１０１が第２筐体１００２から突出した状態を示している。そして、突出したボタン１０１が再度押し込まれると、図５に示すようにカード１０が第２筐体１００２から排出される。
このように、カード１０の第２筐体１００２からの排出にボタン１０１の操作が必要となる場合、ボタン１０１と第２開口部１００２ｂとの間には適切なクリアランスが確保されることが求められる。
【００１７】
次に、上記のようなボタン１０１を備えるカードコネクタ１００及びボタン１０１によるカード排出機構について、図６乃至図１１を参照しつつさらに詳細に説明する。カードコネクタ１００は、基板５０上に取り付けられる。カードコネクタ１００の基板５０への取り付けについては、後に詳述する。
【００１８】
カードコネクタ１００は、ガイド部１０２を備えている。ガイド部１０２は平滑な板状部１０２ａとその両側に設けられたレール状の案内部材１０２ｂを備えている。カード１０は、案内部材１０２ｂにガイドされつつ、板状部１０２ａ上をスライド移動する。また、図６乃至図８では省略されているが、カードコネクタ１００は、図１４（Ｂ）や図２６に示すようにコネクタ部１０３を備えている。コネクタ部１０３は、カード１０と接触して導通するピン部分であり、基板５０に半田付けされている。
【００１９】
カードコネクタ１００は、図６に示すように、ガイド部１０２の側方に延設されたフランジ部１０４を備えている。フランジ部４は、ガイド部１０２の両側にそれぞれ設けられている。フランジ部４は、カードコネクタ１００の基板５０への取り付けに用いられる。
【００２０】
カードコネクタ１００は、ガイド部１０２の後端側、すなわち、ガイド部１０２の第２筐体１００２の内側に位置する側にアーム部材１０５を備えている。アーム部材１０５は、突起１０５ａを備えている。このアーム部材１０５は、突起１０５ａをカード１０の後端部に当接させてカード１０を第２筐体１００２内から掻き出すためのものである。
【００２１】
アーム部材１０５は、回転軸部材１０６によってガイド部１０２に回転自在に取り付けられている。突起１０５ａは、アーム部材１０５の一端側に設けられており、アーム部材１０５の他端側にはプッシュロッド１０７が取り付けられている。カードコネクタ１００には、プッシュロッド１０７が配置される側の案内部材の外側にベースモールド１０９が設けられている。図７は、ベースモールド１０９の側面図である。図７に示すようにベースモールド１０９には、カム溝１０９ａが設けられている。カム溝１０９ａは、いわゆるハートカム溝と称されるタイプの形状を有している。カム溝１０９ａは、ベースモールド１０９のほぼ中央部に位置する中央通路と１０９ａ１、この中央通路１０９ａ１から上方後端側へ延びる上側通路１０９ａ２と、中央通路１０９ａ１から下方後端側へ延びる下側通路１０９ａ３と、下側通路１０９ａ３から直線的に前方に延びる前方通路１０９ａ４を備えている。
【００２２】
図８（Ａ）はカードを排出する機構の一部を分解した状態で示した説明図であり、図８（Ｂ）はカードを排出する機構の一部を組み立てた状態で示した説明図である。ボタン１０１は、内壁部１０１ａを備えている。内壁部１０１ａには、係合穴１０１ａ１が設けられている。この係合穴１０１ａ１には、ピン部材１１１が取り付けられる。ピン部材１１１は、図８（Ａ）に示すように一端側に第１係合部１１１ａを備え、他端側に第２係合部１１１ｂを備えている。そして、図８（Ｂ）に示すように第１係合部１１１ａがボタン１０１に設けられた係合穴１０１ａ１に係合され、第２係合部１１１ｂがベースモールド１０９に設けられたカム溝１０９ａに係合される。第２係合部１１１ｂは、カード排出時にプッシュロッド１０７に当接して、プッシュロッド１０７を押し込む機能も担う。このようなボタン１０１とベースモールド１０９は、案内部材１０２ｂに設けられたカバー部材１０８内に収納されている。
カバー部材１０８とボタン１０１との間には、スプリング１１０が装着されている。スプリング１１０は、ボタン１０１が第２筐体１００２内へ押し込まれた状態のときに伸張状態となるように装着されている。
【００２３】
図９は、カード１０が第２筐体１００２内に挿入され、ボタン１０１が第２筐体１００２から突出した状態のカードコネクタ１００を示している。また、図１０は、ボタン１０１が第２筐体１００２内に押し込まれ、カード１０が第２筐体１００２から排出されるときのカードコネクタ１００を示している。このような動作がされるときの、ボタン１０１の動きを図１１（Ａ）〜（Ｈ）を参照しつつ説明する。
【００２４】
まず、図１１（Ａ）は、カード１０が第２筐体１００２に設けられた第１開口部１００２ａに挿入されておらず、ボタン１０１が第２開口部１００２ｂに収納された状態を示している。この状態のとき、第２係合部１１１ｂは、中央通路１０９ａ１に位置している。図１１（Ａ）では、省略されているが、カバー部材１０８とボタン１０１との間に装着されたスプリング１１０は、伸張した状態となっている。
【００２５】
次に、図１１（Ｂ）は、カード１０が第１開口部１００２ａに挿入された状態を示している。カード１０が挿入されることにより、カード１０１の後端部が突起１０５ａに接触してアーム部材１０５を回転させる。アーム部材１０５が回転すると、アーム部材１０５に取り付けられたプッシュロッド１０７が図中の矢印の方向に移動する。
【００２６】
図１１（Ｃ）は、カード１０を排出するための第一回目のボタン１０１の押し込み操作が行われている状態を示している。ボタン１０１が押し込まれると、中央通路１０９ａ１に位置していた第２係合部１１１ｂが、上側通路１０９ａ２側へ移動する。このとき、スプリング１１０は、さらに伸張する。
【００２７】
図１１（Ｄ）は、スプリング１１０の張力によって前方（図面中、右側）にボタン１０１が引っ張られる状態を示している。ボタン１０１が引っ張られることにより、上側通路１０９ａ２に移動している第２係合部１１１ｂがそのまま上側通路１０９ａ２に沿って前方に移動する。
【００２８】
図１１（Ｅ）は、第２係合部１１１ｂが上側通路１０９ａ２を移動して、前方通路１０９ａ４の端部まで移動した状態を示している。第２係合部１１１ｂがこのような状態となることにより、ボタン１０１は、第２筐体１００２から最も露出した状態となる。ボタン１０１がこの状態となれば、カード１０を排出するための第一回目の押し込み操作が完了する。この図１１（Ｅ）に示す状態が、図９に示す状態と対応している。
【００２９】
図１１（Ｆ）は、図１１（Ｅ）に示す状態から、カード１０を排出するために第二回目のボタン１０１の押し込み操作が行われる様子を示している。ボタン１０１が押し込まれると、これに伴って第２係合部１１１ｂが前方通路１０９ａ４から下側通路１０９ａ３の後端側（図中左側）へ向かって移動を開始する。このとき、第２係合部１１１ｂがプッシュロッド１０７に当接し、プッシュロッド１０７を押し込む。
【００３０】
図１１（Ｇ）は、第二回目のボタン１０１の押し込み操作が完了し、第２係合部１１１ｂが下端通路１０９ａ３の端部まで移動した状態を示している。プッシュロッド１０７が押し込まれると、図９中に示す矢印のように力が伝達される。これにより、アーム部材１０５が回転し、図１０に示すように突起１０５ａがカード１０の後端部を押す。そして、カード１０が第２筐体１００２から排出される。
【００３１】
図１１（Ｈ）は、ボタン１０１の操作が完了し、ボタン１０１が元の位置に復帰した状態を示している。すなわち、ボタンの１０１の操作者がボタン１０１から指を離し、スプリング１１０の張力によりボタン１０１が元の位置に復帰下状態を示している。これにより、第２係合部１１１ｂは、中央通路１０９ａ１に復帰する。なお、図面には表れていないが、下側通路１０９ａ３には、第２係合部１１１ｂが前方通路１０９ａ４へ戻ることを規制する突起が設けられている。このため、ボタン１０１が元の位置に復帰する際に、第２係合部１１１ｂの前方通路１０９ａ４への移動が妨げられる。この結果、第２係合部１１１ｂは、中央通路１０９ａ１側へ移動し、元の位置に戻る。
【００３２】
以上説明したように、カード１０を第２筐体１００２内から排出する際に、ボタン１０１が操作される。このようなカードの排出機構は、一例であるが、ボタン１０１と第２開口部１００２ｂとの間には適切なクリアランスが確保されることが求められる。
【００３３】
以下、ボタン１０１と第２開口部１００２ｂとの間の適切なクリアランスを確保するためのカードコネクタ１００の基板５０への取り付けにつき、比較例と対比しつつ詳述する。比較例は、カードコネクタ２００を基板５０へ取り付けるものとする。カードコネクタ２００において、実施例のカードコネクタ１００と共通する構成要素については同一の参照番号を付すものとする。
【００３４】
まず、図１２、図１３を参照しつつ、比較例のカードコネクタの取付構造について説明する。図１２は、比較例のカードコネクタの取付構造により、カードコネクタ２００を基板５０に取り付ける様子を示す図であり、図１２（Ａ）は上方から見た図、図１２（Ｂ）は側方から見た図である。また、図１３は、比較例のカードコネクタの取付構造により、カードコネクタ２００が基板５０へ取り付けられた状態を示す図であり、図１３（Ａ）は上方から見た図、図１３（Ｂ）は側方から見た図である。カードコネクタ２００は、図１２（Ａ）に示すように、ガイド部１０２の板状部１０２ａに内蔵ナット部２３０を備えている。内蔵ナット部２３０は、板状部１０２ａの後端側の左右二カ所に設けられている。ガイド部１０２にフランジ部４が設けられている点は、カードコネクタ１００と共通である。ただし、フランジ部４には、ネジ穴１０４ａが設けられている。一方、基板５０には、図１２（Ｂ）に示すように貫通孔５０ａが設けられている。このようなカードコネクタ２００は、ネジ２３１を用いて基板５０に取り付けられる。すなわち、図１３（Ｂ）に示すように、ネジ２３１が基板５０の下側から貫通孔５０ａに貫通し、内蔵ナット部２３０、ネジ穴１０４ａへそれぞれ螺合する。ネジ２３１は、合計で四カ所に締めつけられることになる。このとき、ネジ２３１の締め込みのバランスが崩れてしまうと、カードコネクタ２００の取り付け位置がずれてしまう。また、工作精度に起因する各部品の寸法バラツキの蓄積によってもカードコネクタ２００の取り付け位置がずれることがある。
【００３５】
次に、本実施例のカードコネクタの取付構造について説明する。図１４は、実施例のカードコネクタの取付構造によりカードコネクタ１００を基板５０に取り付ける様子を示す図であり、図１４（Ａ）は上方から見た図、図１４（Ｂ）は側方から見た図である。図１５は、実施例のカードコネクタの取付構造により、カードコネクタ１００が基板５０へ取り付けられた状態を示す図であり、図１５（Ａ）は上方から見た図、図１５（Ｂ）は側方から見た図である。図１６は、実施例のスタッド部材１２１の説明図であり、図１６（Ａ）は上方から見た図、図１６（Ｂ）は側方から見た図である。図１７はピン部材１２０がスタッド部材１２１と対向した状態を示す説明図である。図１８は、ピン部材１２０の係合部（先端部）１２０ｂがスタッド部材１２１に挿入され始めた状態を示す説明図である。図１９は、ピン部材１２０のスタッド部材１２１への挿入が完了した状態を示す説明図である。
【００３６】
カードコネクタ１００は、ピン部材１２０を備えている。ピン部材１２０は、板状部１０２ａの後端側の左右二カ所と、板状部１０２ａの側方に設けられた二カ所のフランジ部１０４の合計四カ所に設けられている。ピン部材１２０は、フランジ部１０４以外、例えば、板状部１０２ａの下面側に設けることもできるが、フランジ部１０４に設けることが好ましい。ピン部材１２０をフランジ部に設けることにより、ピン部材１２０を後述するスタッド部材１２１へ挿入する際の目視作業が容易になる。ピン部材１２０は、図１７に示すように、首部１２０ａと、この首部１２０ａの先端側に連設された係合部１２０ｂを備えている。係合部１２０ｂの先端側は、テーパ状に成形されている。
【００３７】
一方、基板５０には、比較例における貫通孔５０ａに代えて、スタッド部材１２１を装着するための貫通孔５０ｂが設けられている。貫通孔５０ｂは、ピン部材１２０に対応させて四カ所設けられている。
【００３８】
スタッド部材１２１は、図１６（Ａ）に示すように、ピン部材１２０が挿入される筒状の挿入部１２１ｂと、この筒状の挿入部１２１ｂの側方へ延設されたアーム部１２１ａを備えている。また、挿入部１２１ｂの先端部には、縮径部１２１ｂ１が設けられている。縮径部１２１ｂ１には、切欠１２１ｃが設けられている。この切欠１２１ｃにより、縮径部１２１ｂ１に柔軟性が付与され、係合部１２０ｂの挿通を容易にしている。
【００３９】
このようなスタッド部材１２１は、図１６（Ｂ）に示すように、筒状の挿入部１２１ｂを基板５０の貫通孔５０ｂに挿入し、アーム部１２１ａを基板５０の上面に当接させる。そして、アーム部１２１aを基板５０に半田付けすることによってスタッド部材１２１が基板５０に取り付けられる。スタッド部材１２１は、他の電子部品と同様に、基板５０上に自動的に搭載され、リフロー半田付けが可能である。
【００４０】
ここで、スタッド部材１２１の挿入部１２１ｂと、ピン部材１２０の首部１２１ａとの寸法関係について説明する。図１７に示すように、首部１２０ａの径をＤ１とし、挿入部１２１ｂの内径、より具体的には、縮径部１２１ｂ１の内径をＲ１とする。首部１２０ａの径Ｄ１は、ピン部材１２０がスタッド部材１２１に遊嵌されるように挿入部１２１ｂの内径Ｒ１よりも小径である。係合部１２０ｂの径は挿入部１２１ｂの内径Ｒ１よりも若干大きくなっている。
【００４１】
このような寸法を有するピン部材１２０は、図１８に示すようにスタッド部材１２１の挿入部１２１ｂに押し込まれる。このとき、ピン部材１２０の係合部１２０ｂの先端側がテーパ状に成形され、また、縮径部１２１ｂ１に切欠１２１ｃが設けられているので、ピン部材１２０は、容易に挿入部１２１ｂに挿入することができる。
【００４２】
挿入部１２１ｂに挿入されたピン部材１２０は、その径Ｄ１が挿入部の内径Ｒ１よりも小径となっていることから、スタッド部材１２１に遊嵌された状態となる。これにより、カードコネクタ１００は、直交する二方向、具体的には、カード１０の挿抜方向（Ｘ方向）と、この挿抜方向に直交する方向（Ｙ方向）に位置調整可能な状態で基板５０に取り付けられる。これにより、カードコネクタ１００は、いわゆるフローティング状態となり、微小な位置調整が可能となる。
【００４３】
なお、半田付け等により基板５０側にピン部材１２０を設け、カードコネクタ側にスタッド部材１２１を設けることによってカードコネクタ１００を位置調整可能な状態とすることもできる。この場合のスタッド部材１２１の挿入部１２１ｂと、ピン部材１２０の首部１２１ａとの寸法関係は、本実施例の場合と同様である。
【００４４】
ピン部材はスタッド部材１２１に挿入された状態のときに遊嵌される状態となるものであれば、どのような形状であってもよい。
【００４５】
例えば、図２０乃至図２２に示すようなピン部材１３０とすることもできる。図２０は、他の実施例のピン部材１３０がスタッド部材１２１と対向した状態を示す説明図である。図２１は、他の実施例のピン部材１３０の係合部（先端部）１３０ｂがスタッド部材１２１に挿入され始めた状態を示す説明図である。図２２は、他の実施例のピン部材１３０がスタッド部材１２１への挿入が完了した状態を示す説明図である。図１７乃至図１９に示すピン部材１２０の係合部１２０ａは、先端側のみがテーパ状に成形されている。図２０に示すピン部材１３０は、首部１３０ａと、この首部１３０ａの先端側に連設された係合部１３０ｂを備えている。この点は、ピン部材１２０と共通する。また、スタッド部材１２１の挿入部１２１ｂと、ピン部材１３０の首部１３１ａとの寸法関係も、ピン部材１２０の場合と共通する。すなわち、図２１に示すように、首部１３０ａの径をＤ１とし、挿入部１２１ｂの内径、より具体的には、縮径部１２１ｂ１の内径をＲ１とする。そして、首部１３０ａの径Ｄ１は、ピン部材１３０がスタッド部材１２１に遊嵌されるように挿入部１２１ｂの内径Ｒ１よりも小径である。
【００４６】
ピン部材１３０が備える係合部１３０ｂは、先端側のテーパ部１３０ｂ１と基端側のテーパ部１３０ｂ２を備えている点で、ピン部材１２０と相違する。この基端側のテーパ部１３０ｂ２は、ピン部材１３０の基端側に向かうに従って小径となっている。このようなテーパ部１３０ｂ２を備えることにより、カードコネクタ１００の基板５０からの取り外しが容易となる。
【００４７】
さらに、図２３に示すようなピン部材１４０とすることもできる。図２３に示すピン部材１４０は、四つの部分に分割された割りピン形状を有している。各部分の先端部には、テーパ状に成形された係合部１４０ａが設けられている。係合部１４０ａより基端側が首部に相当する。四つの部分は窄まりながらスタッド部材１２１の挿入部１２１ｂに挿入される。ピン部材１４０の係合部１４０ａよりも基端側の径は挿入部１２１ｂの内径よりも小径であり、また、四つの部分が窄まることができるので、ピン部材１４０は、容易にスタッド部材１２１に遊嵌される。これにより、カードコネクタ１００は、直交する二方向、具体的には、カード１０の挿抜方向（Ｘ方向）と、この挿抜方向に直交する方向（Ｙ方向）に位置調整可能な状態で基板５０に取り付けられる。これにより、カードコネクタ１００は、いわゆるフローティング状態となり、微小な位置調整が可能となる。
【００４８】
さらに、図２４に示すようなピン部材１５０とすることもできる。図２４に示すピン部材１５０は、二つの部分に分割された割りピン形状を有している。各部分の先端部には、テーパ状に成形された係合部１５０ａが設けられている。係合部１５０ａより基端側が首部に相当する。二つの部分は窄まりながらスタッド部材１２１の挿入部１２１ｂに挿入される。ピン部材１５０の係合部１５０ａよりも基端側の径は挿入部１２１ｂの内径よりも小径であり、また、二つの部分が窄まることができるので、ピン部材１５０は、容易にスタッド部材１２１に遊嵌される。これにより、カードコネクタ１００は、直交する二方向、具体的には、カード１０の挿抜方向（Ｘ方向）と、この挿抜方向に直交する方向（Ｙ方向）に位置調整可能な状態で基板５０に取り付けられる。これにより、カードコネクタ１００は、いわゆるフローティング状態となり、微小な位置調整が可能となる。
【００４９】
また、図２５（Ａ）、図２５（Ｂ）に示すようなピン部材１５０とすることもできる。図２５（Ａ）は、ピン部材１６０の正面図であり、図２５（Ｂ）は側面図である。ピン部材１６０は、二枚の板体が対向配置されている。そして、それぞれの板体の外側に位置する面に係合部１６０ａが設けられている。係合部１６０ａよりも基端側が首部に相当する。図２５（Ａ）、図２５（Ｂ）に示す係合部の形状は、矩形であるが、なだらかに隆起する突起であってもよい。ピン部材１６０の二枚の板体は、その間隔が狭まりながらスタッド部材１２１の挿入部に１２１ｂに挿入される。二枚の板体の間隔、幅、厚みは、挿入部１２１ｂに挿入された状態で挿入部１２１ｂの内壁との間に隙間ができ、ピン部材１６０がスタッド部材１２１に遊嵌されるように設定されている。これにより、カードコネクタ１００は、直交する二方向、具体的には、カード１０の挿抜方向（Ｘ方向）と、この挿抜方向に直交する方向（Ｙ方向）に位置調整可能な状態で基板５０に取り付けられる。これにより、カードコネクタ１００は、いわゆるフローティング状態となり、微小な位置調整が可能となる。
【００５０】
以上のようなピン部材１２０（１４０，１５０，１６０）をスタッド部材１２１に挿入して遊嵌状態とした後は、基板５０を第２筐体１００２に設置する。そして、第２筐体１００２に天板１００３を設置する。天板１００３の下面側、すなわち、基板５０と対向する側には、図２６に示すようなＬ字状の突起部１２２が設けられている。この突起部１２２は、基板５０が第２筐体１００２に収容された状態でカードコネクタ１００に当接し、カードコネクタ１００の直交する二方向（Ｘ方向及びＹ方向）の動きを規制する。
【００５１】
突起部１２２は、Ｘ方向に延びる部分とＹ方向に延びる部分を備えたＬ字状をなしている。このような突起部１２２は、天板１００３がカードコネクタ１００の後端角部に当接する。これにより、カードコネクタ１００の動きが規制され、カードコネクタ１００の最終的な位置決めが行われる。Ｚ方向（上下方向）については、カードコネクタ１００が、天板１００３により上から軽く押さえつけられる状態となることで位置決めが行われ、ガタつきも解消される。
【００５２】
天板１００３は、第２筐体１００２の一部をなすものであり、天板１００３と第２開口部１００２ｂとの位置関係は、規定の範囲内に納めることが容易である。第２開口部１００２ｂとこのような関係にある天板１００３に突起部１２２を設けることにより、突起部１２２によって最終的な位置決めがされるボタン１０１と第２開口部１００２ｂとの適切な位置関係が確保される。
【００５３】
これにより、ボタン１０１の動作が阻害されなくなる。基板５０の組み立て時にボタン１０１と第２開口部１００２ｂとの干渉を回避するための作業の煩わしさから開放される。また、調整作業に伴う基板５０や第２筐体１００２の破損や歪みの発生のおそれが低減する。
【００５４】
また、カードコネクタ１００は、ピン部材１２０をスタッド部材１２１へ押し込むだけで基板５０に装着されるので、ネジの締め込み作業から開放される。
【００５５】
また、複数のネジを用いてカードコネクタ１００を基板５０に取り付ける場合は、複数のネジの締め込み量を調整する作業が必要となる。これに対し、本明細書開示のカードコネクタの取付構造によれば、ピン部材１２０をスタッド部材１２１へ押し込み、あとは、突起部１２２を備えた天板１００３を装着するだけで最終的な位置決めが行われる。すなわち、カード排出用ボタンと筐体とが干渉しないように容易に位置決めすることができる。
【００５６】
以上本発明の好ましい実施例について詳述したが、本発明は係る特定の実施例に限定されるものではなく、特許請求の範囲に記載された本発明の要旨の範囲内において、種々の変形、変更が可能である。
【符号の説明】
【００５７】
１０…ＥＸＰＲＥＳＳカード
１００…カードコネクタ
１０１…カード排出用ボタン
１０４…フランジ部
１０５…アーム部材
１０６…回転軸部
１０７…プッシュロッド
１０８…カバー部材
１０９…ベースモールド
１１０…スプリング
１１１…カムピン
１２０、１４０、１５０、１６０…ピン部材
１２０ａ…首部
１２０ｂ…係合部
１２１…スタッド部
１２１ａ…挿入部
１０００…パソコン
１００１…第１筐体
１００２…第２筐体
１００２ａ…第１開口部
１００２ｂ…第２開口部
１００３…天板
【図１】
2011146308.tif 000003
【図２】
2011146308.tif 000004
【図３】
2011146308.tif 000005
【図４】
2011146308.tif 000006
【図５】
2011146308.tif 000007
【図６】
2011146308.tif 000008
【図７】
2011146308.tif 000009
【図８】
2011146308.tif 000010
【図９】
2011146308.tif 000011
【図１０】
2011146308.tif 000012
【図１１】
2011146308.tif 000013
【図１２】
2011146308.tif 000014
【図１３】
2011146308.tif 000015
【図１４】
2011146308.tif 000016
【図１５】
2011146308.tif 000017
【図１６】
2011146308.tif 000018
【図１７】
2011146308.tif 000019
【図１８】
2011146308.tif 000020
【図１９】
2011146308.tif 000021
【図２０】
2011146308.tif 000022
【図２１】
2011146308.tif 000023
【図２２】
2011146308.tif 000024
【図２３】
2011146308.tif 000025
【図２４】
2011146308.tif 000026
【図２５】
2011146308.tif 000027
【図２６】
2011146308.tif 000028